(57)【特許請求の範囲】
【請求項１】
記録媒体に記録されている映像データを再生するデータ再生装置において、
上記映像データの再生中、この映像データ領域の一部領域を拡大して表示した際、この映像データ領域の一部領域を拡大していることを知らせる識別表示を第１の色で表示制御する第１の制御手段と、
上記映像データ領域で拡大する一部領域の位置を移動する移動手段と、
この移動手段により移動された上記拡大する一部領域の位置が上記映像データ領域の端になった場合に上記第１の制御手段で表示制御されている識別表示を前記第１の色とは異なる第２の色に変更制御する第２の制御手段と、
を具備したことを特徴とするデータ再生装置。
【請求項２】
上記拡大する一部領域の位置が上記映像データ領域の端であった場合とは、上記映像データの上下左右の４辺のいずれかに上記一部領域の上下左右の４辺のいずれかが接する位置であることを特徴とする請求項１記載のデータ再生装置。
【請求項３】
記録媒体に記録されている映像データを再生するデータ再生装置において、
上記記録媒体に記録されている映像データを読み出す読出手段と、
この読出手段で読み出された映像データ領域の一部領域を拡大して表示する表示手段と、
この表示手段で上記一部領域を拡大して表示していることを知らせる識別表示を第１の色で表示制御する第１の制御手段と、
上記表示手段で拡大して表示された上記一部領域の位置を上記映像データ領域内で移動する移動手段と、
この移動手段により移動された上記一部領域の位置が上記映像データ領域の端であった場合に上記第１の制御手段で表示制御されている識別表示を前記第１の色とは異なる第２の色に変更制御する第２の制御手段と、
を具備したことを特徴とするデータ再生装置。
【請求項４】
上記表示手段は、ズーム機能を用いた場合の表示であることを特徴とする請求項３記載のデータ再生装置。
【請求項５】
記録媒体に記録されている映像データを再生するデータ再生装置において、
上記記録媒体に記録されている映像データを読み出す読出手段と、
この読出手段で読み出された映像データ領域の一部領域を拡大してテレビ画面に表示する表示手段と、
この表示手段で上記一部領域を拡大して表示していることを知らせる識別表示を第１の色で上記テレビ画面に表示制御する第１の制御手段と、
上記表示手段で拡大して表示された上記一部領域の位置を上記映像データ領域内で移動する移動手段と、
この移動手段により移動された上記一部領域の位置が上記映像データ領域の限界位置であった場合に上記第１の制御手段で表示制御されている識別表示を前記第１の色とは異なる第２の色に変更制御する第２の制御手段と、
を具備したことを特徴とするデータ再生装置。
【請求項６】
上記限界位置とは、上記映像データサイズを（Ｘ、Ｙ）で上記一部領域サイズを（ｘ、ｙ）として横方向の移動量ｘｍが０＜ｘｍ≦（Ｘ−ｘ）、縦方向の移動量ｙｍが０＜ｙｍ≦（Ｙ−ｙ）とした場合に、ｘｍ＝０、ｙｍ＝０、ｘｍ＝（Ｘ−ｘ）、ｙｍ＝（Ｙ−ｙ）のいずれかの条件を満たした場合であることを特徴とする請求項５記載のデータ再生装置。
【請求項７】
映像データ領域の一部領域を拡大して表示するズーム機能を有し、記録媒体に記録されている映像データを再生するデータ再生装置のズーム機能表示方法であって、
上記記録媒体に記録されている映像データを読み出し、
この映像データ領域の一部領域を拡大して表示するズーム機能を用いた際、ズーム機能を用いて再生していることを知らせるズーム表示を第１の色で表示し、
上記ズーム機能で拡大して表示する上記映像データ領域における一部領域の位置を移動した際、上記映像データの上下左右の４辺のいずれかに上記一部領域の上下左右の４辺のいずれかが接する位置になった場合に上記ズーム表示を前記第１の色とは異なる第２の色に変更することを特徴とするデータ再生装置のズーム機能表示方法。
【発明の詳細な説明】
【０００１】
【発明の属する技術分野】
この発明は、映像データ領域の一部領域を拡大して表示するズーム機能を有し、記録媒体に記録されている映像データを再生するデータ再生装置とデータ再生装置のズーム機能表示方法に関する。
【０００２】
【従来の技術】
最近、大容量記録媒体の光ディスクシステムとして、ＤＶＤ（デジタル・バーサタイル（ビデオ）・ディスク）なるものが開発され、そのＤＶＤの光ディスク（記録媒体）に記録されているデータを再生するデータ再生装置が実用化されている。
【０００３】
従来、このようなデータ再生装置における映像データの一部を拡大表示するズーム機能において、所望の領域を拡大するため、拡大表示させたまま拡大する範囲を移動させている。その移動範囲は、元の映像の一部が拡大されているので元の映像における現在位置がわかりにくく、移動できなくなることで移動の限界に達したと判断させられている。
【０００４】
【発明が解決しようとする課題】
上記したように、映像データの一部を拡大表示するズーム機能において、所望の領域を拡大するため、拡大表示させたまま拡大する範囲を移動させているが、その移動範囲は元の映像の一部が拡大されているので元の映像における現在位置がわかりにくく、移動ができなくなることでしかわからないという問題があった。
【０００５】
そこで、この発明は、ズーム機能における拡大する範囲の移動中、元の映像における移動限界を容易に分かるようにしたデータ再生装置とデータ再生装置のズーム機能表示方法を提供することを目的とする。
【０００６】
【課題を解決するための手段】
この発明のデータ再生装置は、記録媒体に記録されている映像データを再生するデータ再生装置において、上記映像データの再生中、この映像データ領域の一部領域を拡大して表示した際、この映像データ領域の一部領域を拡大していることを知らせる識別表示を第１の色で表示制御する第１の制御手段と、上記映像データ領域で拡大する一部領域の位置を移動する移動手段と、この移動手段により移動された上記拡大する一部領域の位置が上記映像データ領域の端になった場合に上記第１の制御手段で表示制御されている識別表示を前記第１の色とは異なる第２の色に変更制御する第２の制御手段とから構成されている。
【０００７】
この発明のデータ再生装置は、記録媒体に記録されている映像データを再生するデータ再生装置において、上記記録媒体に記録されている映像データを読み出す読出手段と、この読出手段で読み出された映像データ領域の一部領域を拡大して表示する表示手段と、この表示手段で上記一部領域を拡大して表示していることを知らせる識別表示を第１の色で表示制御する第１の制御手段と、上記表示手段で拡大して表示された上記一部領域の位置を上記映像データ領域内で移動する移動手段と、この移動手段により移動された上記一部領域の位置が上記映像データ領域の端であった場合に上記第１の制御手段で表示制御されている識別表示を前記第１の色とは異なる第２の色に変更制御する第２の制御手段とから構成されている。
【０００８】
この発明のデータ再生装置は、記録媒体に記録されている映像データを再生するデータ再生装置において、上記記録媒体に記録されている映像データを読み出す読出手段と、この読出手段で読み出された映像データ領域の一部領域を拡大してテレビ画面に表示する表示手段と、この表示手段で上記一部領域を拡大して表示していることを知らせる識別表示を第１の色で上記テレビ画面に表示制御する第１の制御手段と、上記表示手段で拡大して表示された上記一部領域の位置を上記映像データ領域内で移動する移動手段と、この移動手段により移動された上記一部領域の位置が上記映像データ領域の限界位置であった場合に上記第１の制御手段で表示制御されている識別表示を前記第１の色とは異なる第２の色に変更制御する第２の制御手段とから構成されている。
【０００９】
この発明のデータ再生装置のズーム機能表示方法は、映像データ領域の一部領域を拡大して表示するズーム機能を有し、記録媒体に記録されている映像データを再生するデータ再生装置のズーム機能表示方法であって、上記記録媒体に記録されている映像データを読み出し、この映像データ領域の一部領域を拡大して表示するズーム機能を用いた際、ズーム機能を用いて再生していることを知らせるズーム表示を第１の色で表示し、上記ズーム機能で拡大して表示する上記映像データ領域における一部領域の位置を移動した際、上記映像データの上下左右の４辺のいずれかに上記一部領域の上下左右の４辺のいずれかが接する位置になった場合に上記ズーム表示を前記第１の色とは異なる第２の色に変更することを特徴とする。
【００１０】
【発明の実施の形態】
以下、この発明の一実施の形態について図面を参照して説明する。
図１は、この発明に係るデータ再生装置２０の概略構成を示すものである。
すなわち、データ再生装置２０は、ディスク１から記録信号を読み取るための光ピックアップ２、ディスク１を回転させるモータ３、モータ３の回転制御を行うサーボ制御部４、Ｉ／Ｖ変換アンプ５、ＲＦアンプ６、データプロセッサ７、Ｄ−ＲＡＭ８、９、ＭＰＥＧ２デコーダ１０、ビデオプロセッサ１１、キャラクタジェネレータ１２、音声デコーダ１３、表示操作部１４、及びマイクロコンピュータ１５とから構成されている。
【００１１】
Ｉ／Ｖ変換アンプ５は、光ピックアップ２からの微弱電流信号を増幅し、広帯域の信号伝送を可能にする電流／電圧変換アンプである。
ＲＦ（Ｒａｄｉｏ  Ｆｒｅｑｕｅｎｃｙ）  アンプ６は、波形等化、サーボ誤差信号生成とレーザの制御を行う。
【００１２】
データプロセッサ７は、ＰＬＬ回路を内蔵して８／１６変調信号の復調機能とバッファメモリ管理機能とＤＶＤ用ディスクモータ制御機能とパルス幅変調回路と有する信号復調回路７ａ、ＥＣＣ処理回路７ｂ、メモリインタフェース７ｃとを内蔵し、ＤＶＤ信号復調／ＥＣＣ処理、ＤＶＤスピンドル制御を行う。また、データプロセッサ７は、メモリインタフェース７ｃを介して４メガバイトのＤ−ＲＡＭ８が接続されており、高速アクセスで数分以上の分の再生データを一時的に保持するために用いられる。
【００１３】
ＭＰＥＧ２デコーダ１０は、復号、副映像、オーディオパケットの分離を行う。すなわち、ＭＰＥＧ２デコーダ１０は、データプロセッサ７からの再生データであるパック列を受け取り、各パックを判定し、ビデオパケットと副映像パケットをビデオプロセッサ１１へ転送し、オーディオパケットをビデオプロセッサ１１を介して音声デコーダへ転送する。また、ＭＰＥＧ２デコーダ１０には、１６メガバイトのＤ−ＲＡＭ９が接続されている。
【００１４】
ビデオプロセッサ１１は、副映像を復号し、主映像信号と混合出力処理を行う。
キャラクタジェネレータ１２は、文字の生成を行う。
【００１５】
音声デコーダ１３、アナログ・デジタル音声出力信号の作成を行う。
表示操作部１４は、表示部とキー入力部とから構成されている。
マイクロコンピュータ１５は、全体の制御を司る。
【００１６】
通常のデータ再生の場合、ディスク１から光ピックアップ２で記録信号が読み取られ、この読み取られた記録信号がＩ／Ｖ変換アンプ５、ＲＦアンプ６、データプロセッサ７を介してデジタルデータとして抽出され、抽出されたデジタルデータがビデオプロセッサ１１を介して映像信号としてビデオ出力され、さらに音声デコーダ１３を介して音声出力がされる。
【００１７】
ここで、ディスク１からの映像データを再生中に表示操作部１４からズーム機能オンが設定操作された際、マイクロコンピュータ１５は、ＭＰＥＧ２デコーダ１０に対してズーム演算のコマンドを発行し、同時にキャラクタジェネレータ１２に対して「ＺＯＯＭ」の文字を表示するコマンドを発行する。これにより、ズーム演算のコマンドを受けたＭＰＥＧ２デコーダ１０が、データプロセッサ７で抽出されたデジタルデータから映像を拡大する演算を付加して映像を再構成（デコード）する。また、キャラクタジェネレータ１２が、「ＺＯＯＭ」文字表示のコマンドを受け、「ＺＯＯＭ」の文字を生成する。次段のビデオプロセッサ１１が、ＭＰＥＧ２デコーダ１０からの主映像信号（拡大した映像）とキャラクタジェネレータ１２からの副映像（「ＺＯＯＭ」の文字）とを混合出力処理することによってズーム機能が実行される。
【００１８】
図２は、ズーム動作を示すものである。すなわち、図２において、３１がテレビ画面サイズであり、３２が映像データサイズであり、３３がズーム動作中のＯＳＤ表示である。
【００１９】
データ再生装置２０のマイクロコンピュータ１５は、ディスク１からの映像データを再生中、表示操作部１４の設定によりズーム機能が動作された際、再生中の映像データのある領域を拡大する。図２においては、映像データサイズ３２における鮫の絵柄の背びれの部分がテレビ画面サイズ３１に拡大されてテレビ画面に表示される。
【００２０】
マイクロコンピュータ１５は、ズーム動作中、キャラクタジェネレータ１２とビデオプロセッサ１１を介し、オンスクリーンディスプレイ（ＯＳＤ）でズームしていることをユーザに知らせる。これが、上述したズーム動作中のＯＳＤ表示３３である。ＯＳＤ表示３３に示すように、ズーム動作中は、「ＺＯＯＭ」と表示されており、その時に表示操作部１４のカーソルキーが操作されると、その操作に従って元の映像における拡大する部分が移動される。
【００２１】
図３は、ズーム移動中の表示を示すものである。映像データサイズ３２に対するテレビ画面サイズ３１のズーム移動中、マイクロコンピュータ１５は、ＯＳＤ表示３３の「ＺＯＯＭ」の文字表示を白、または緑の色に制御する。また、詳しくは後述するがテレビ画面サイズ３１の左上の角部（図３における左上）Ａを０基点としてテレビ画面のサイズを（ｘ、ｙ）とし、映像データサイズ３２の左上の角部（図３における左上）Ｂを０基点として映像データのサイズを（Ｘ、Ｙ）とする。
【００２２】
この場合、横方向の移動量ｘｍは、０＜ｘｍ≦（Ｘ−ｘ）となり、縦方向の移動量ｙｍは、０＜ｙｍ≦（Ｙ−ｙ）となる。
次に、このような構成においてマイクロコンピュータ１５による拡大部分の移動におけるＯＳＤ表示制御の動作を図４のフローチャートを参照して説明する。
【００２３】
マイクロコンピュータ１５は、ズーム機能が設定されてズーム表示処理中、ＯＳＤ表示３３の「ＺＯＯＭ」の文字を白で表示している（ＳＴ１）。
ユーザにより表示操作部１４のカーソルキーが操作された際（ＳＴ２）、マイクロコンピュータ１５は、ズームの移動位置が元の映像の許容範囲内か否かをチェックする（ＳＴ３）。これは、上述したように横方向の移動量ｘｍが０＜ｘｍ≦（Ｘ−ｘ）、縦方向の移動量ｙｍが０＜ｙｍ≦（Ｙ−ｙ）であるか否かということである。ここで元の映像における許容範囲を超えていれば、ステップＳＴ５へ移行する。
【００２４】
また、元の映像における許容範囲内であればマイクロコンピュータ１５は、ズーム位置を移動する（ＳＴ４）。
ステップＳＴ５においてマイクロコンピュータ１５は、ズーム位置が限界位置であるか否かをチェックする。ここで、限界位置とは、ｘｍ＝０、ｙｍ＝０、ｘｍ＝（Ｘ−ｘ）、ｙｍ＝（Ｙ−ｙ）のいずれかの条件を満たした場合である。
【００２５】
マイクロコンピュータ１５は、ズーム位置が限界位置でない場合にＯＳＤ表示３３の「ＺＯＯＭ」の文字を白で表示する（ＳＴ６）。
また、マイクロコンピュータ１５は、図５に示すようにズーム位置が限界位置であった場合にＯＳＤ表示３３の「ＺＯＯＭ」の文字を緑で表示する（ＳＴ７）。
【００２６】
以上説明したように上記発明の実施の形態によれば、所望の領域を拡大するために拡大する領域を移動させ、その途中で映像データの端に到達した場合に、ズーム動作表示中のＯＳＤの表示色を変える（実施例では白から緑）ことで、移動限界にいることをユーザに知らせることができる。このようにしてユーザは、ＯＳＤ表示の色を確認することで、さらに移動できるかどうかの判断をすることができる。
【００２７】
【発明の効果】
以上詳述したようにこの発明によれば、ズーム機能における拡大する範囲の移動中、元の映像における移動限界を容易に分かるようにしたデータ再生装置とデータ再生装置のズーム機能表示方法を提供することができる。
【図面の簡単な説明】
【図１】ディスクを用いたデータ再生装置の概略構成を示すブロック図。
【図２】ズーム動作を説明するための図。
【図３】ズーム移動中の表示を説明するための図。
【図４】拡大部分の移動におけるＯＳＤ表示制御の動作を説明するためのフローチャート。
【図５】ズーム移動中の表示を説明するための図。
【符号の説明】
１…ディスク
２…光ピックアップ（読出手段）
３…モータ
４…サーボ制御部
５…Ｉ／Ｖ変換アンプ
６…ＲＦアンプ
７…データプロセッサ（表示手段）
１０…ＭＰＥＧ２デコーダ
１１…ビデオプロセッサ
１２…キャラクタジェネレータ
１４…表示操作部（移動手段）
１５…マイクロコンピュータ（第１の制御手段、第２の制御手段）
２０…データ再生装置
【図１】
0003557088.tif 000002
【図２】
0003557088.tif 000003
【図３】
0003557088.tif 000004
【図４】
0003557088.tif 000005
【図５】
0003557088.tif 000006